(57)【要約】      （修正有）【課題】表示装置を使用するユーザの傾向を解析することができる情報処理装置、情報処理方法、プログラム、情報処理システムおよび表示装置を提供する。【解決手段】ユーザが表示装置でコンテンツを視聴した時刻、視聴したコンテンツの内容、コンテンツの録画履歴、録画時刻などの視聴、録画履歴に基づいて、当該表示装置を使用するユーザの傾向を解析する解析部を備える。更に、その解析結果に基づいて、配信するコンテンツを選択する。【選択図】図４
2015144376.tif 000002
【特許請求の範囲】
【請求項１】
ユーザが表示装置でコンテンツを視聴した時刻の履歴である視聴履歴に基づいて、当該表示装置を使用するユーザの傾向を解析する解析部
を備えることを特徴とする情報処理装置。
【請求項２】
前記解析部はさらに、前記コンテンツの内容に基づいて、前記表示装置を使用するユーザの傾向を解析する
ことを特徴とする請求項１に記載の情報処理装置。
【請求項３】
前記解析部はさらに、前記表示装置の種類に基づいて、前記表示装置を使用するユーザの傾向を解析する
ことを特徴とする請求項１または請求項２に記載の情報処理装置。
【請求項４】
前記解析部が解析した前記表示装置を使用するユーザの傾向に基づいて、前記表示装置に対して配信する第２のコンテンツを選択する選択部
を備えることを特徴とする請求項１から請求項３のいずれか１項に記載の情報処理装置。
【請求項５】
前記選択部は、前記ユーザが前記コンテンツを視聴している時刻に基づいて、前記第２のコンテンツを選択する
ことを特徴とする請求項４に記載の情報処理装置。
【請求項６】
前記選択部は、前記表示装置が表示している前記コンテンツの内容に基づいて、前記第２のコンテンツを選択する
ことを特徴とする請求項４または請求項５に記載の情報処理装置。
【請求項７】
前記コンテンツは、テレビジョン放映された放送番組である
ことを特徴とする請求項１から請求項６のいずれか１項に記載の情報処理装置。
【請求項８】
前記コンテンツは、テレビジョン放映された放送番組を録画した録画コンテンツである
ことを特徴とする請求項１から請求項７のいずれか１項に記載の情報処理装置。
【請求項９】
前記解析部はさらに、前記録画コンテンツの録画時刻に基づいて、前記表示装置を使用するユーザの傾向を解析する
ことを特徴とする請求項８に記載の情報処理装置。
【請求項１０】
ユーザが表示装置でコンテンツを視聴した時刻の履歴である視聴履歴に基づいて、当該表示装置を使用するユーザの傾向を解析する解析ステップ
を含むことを特徴とする情報処理方法。
【請求項１１】
ユーザが表示装置でコンテンツを視聴した時刻の履歴である視聴履歴に基づいて、当該表示装置を使用するユーザの傾向を解析する解析ステップ
をコンピュータに実行させるためのプログラム。
【請求項１２】
コンテンツを表示する表示部と、
前記表示部が表示するコンテンツをユーザが視聴した視聴時刻を送信する表示装置送信部と、
を備えた表示装置と、
前記表示装置送信部が送信した前記視聴時刻を受信するサーバ受信部と、
前記サーバ受信部が受信した前記視聴時刻の履歴を視聴履歴として記憶する記憶部と、
前記記憶部が記憶する前記視聴履歴を送信するサーバ送信部と、
を備えた視聴情報サーバ装置と、
前記視聴情報サーバ装置が送信した前記視聴履歴を受信する受信部と、
前記受信部が受信した前記視聴履歴に基づいて、前記表示装置を使用するユーザの傾向を解析する解析部と、
を備えた情報処理装置と、
を含むことを特徴とする情報処理システム。
【請求項１３】
コンテンツを表示する表示部と、
前記表示部が表示するコンテンツをユーザが視聴した視聴時刻を送信する送信部と、
前記視聴時刻の履歴に基づいて選択された第２のコンテンツを受信する受信部と、
を備え、
前記表示部は、前記受信部が受信した前記第２のコンテンツを表示する
ことを特徴とする表示装置。
【請求項１４】
前記表示部は、前記受信部が前記第２のコンテンツを受信してから所定の時間が経過した後、前記第２のコンテンツの表示を消去する
ことを特徴とする請求項１３に記載の表示装置。
【発明の詳細な説明】
【技術分野】
【０００１】
本発明は、情報処理装置、情報処理方法、プログラム、情報処理システムおよび表示装置に関する。
【背景技術】
【０００２】
ユーザ毎にＩＤ番号を発行し、同じテレビ番組を視聴している多数の視聴者それぞれに対して、その嗜好に則し、かつテレビ広告とは別に、番組の各場面の内容にも則した広告を、ホームサーバーを通して提供するものがある（例えば、特許文献１参照）。
【先行技術文献】
【特許文献】
【０００３】
【特許文献１】特開２００３−３３１１８３号公報
【発明の概要】
【発明が解決しようとする課題】
【０００４】
しかしながら、ある１つのテレビジョン受信装置が再生する放送番組を視聴するユーザは、必ずしも特定の１人に限られず、同居人のいずれか又は同居人の組になることがある。例えば、放送番組が個室や寝室等において１人のユーザが視聴すること、居間において同居家族全員が視聴すること、客間において他の同居家族と不特定の来客が視聴することがある。従って、複数ユーザの視聴履歴が混在し、ある１つのテレビジョン受信装置を使用するユーザ層の傾向を特定することができないという問題がある。
【０００５】
本発明は上記の点に鑑みてなされたものであり、表示装置を使用するユーザ層の傾向を解析することができる情報処理装置、情報処理方法、プログラム、情報処理システムおよび表示装置を提供することを課題とする。
【課題を解決するための手段】
【０００６】
（１）本発明は上記の課題を解決するためになされたものであり、本発明の一態様は、ユーザが表示装置でコンテンツを視聴した時刻の履歴である視聴履歴に基づいて、当該表示装置を使用するユーザの傾向を解析する解析部を備えることを特徴とする情報処理装置である。
【０００７】
（２）また、本発明の一態様は、情報処理装置であって、前記解析部はさらに、前記コンテンツの内容に基づいて、前記表示装置を使用するユーザの傾向を解析することを特徴とする。
【０００８】
（３）また、本発明の一態様は、情報処理装置であって、前記解析部はさらに、前記表示装置の種類に基づいて、前記表示装置を使用するユーザの傾向を解析することを特徴とする。
【０００９】
（４）また、本発明の一態様は、前記解析部が解析した前記表示装置を使用するユーザの傾向に基づいて、前記表示装置に対して配信する第２のコンテンツを選択する選択部を備えることを特徴とする情報処理装置である。
【００１０】
（５）また、本発明の一態様は、情報処理装置であって、前記選択部は、前記ユーザが前記コンテンツを視聴している時刻に基づいて、前記第２のコンテンツを選択することを特徴とする。
【００１１】
（６）また、本発明の一態様は、情報処理装置であって、前記選択部は、前記表示装置が表示している前記コンテンツの内容に基づいて、前記第２のコンテンツを選択することを特徴とする。
【００１２】
（７）また、本発明の一態様は、情報処理装置であって、前記コンテンツは、テレビジョン放映された放送番組であることを特徴とする。
【００１３】
（８）また、本発明の一態様は、情報処理装置であって、前記コンテンツは、テレビジョン放映された放送番組を録画した録画コンテンツであることを特徴とする。
【００１４】
（９）また、本発明の一態様は、情報処理装置であって、前記解析部はさらに、前記録画コンテンツの録画時刻に基づいて、前記表示装置を使用するユーザの傾向を解析することを特徴とする。
【００１５】
（１０）また、本発明の一態様は、ユーザが表示装置でコンテンツを視聴した時刻の履歴である視聴履歴に基づいて、当該表示装置を使用するユーザの傾向を解析する解析ステップを含むことを特徴とする情報処理方法である。
【００１６】
（１１）また、本発明の一態様は、ユーザが表示装置でコンテンツを視聴した時刻の履歴である視聴履歴に基づいて、当該表示装置を使用するユーザの傾向を解析する解析ステップをコンピュータに実行させるためのプログラムである。
【００１７】
（１２）また、本発明の一態様は、コンテンツを表示する表示部と、前記表示部が表示するコンテンツをユーザが視聴した視聴時刻を送信する表示装置送信部と、を備えた表示装置と、前記表示装置送信部が送信した前記視聴時刻を受信するサーバ受信部と、前記サーバ受信部が受信した前記視聴時刻の履歴を視聴履歴として記憶する記憶部と、前記記憶部が記憶する前記視聴履歴を送信するサーバ送信部と、を備えた視聴情報サーバ装置と、前記視聴情報サーバ装置が送信した前記視聴履歴を受信する受信部と、前記受信部が受信した前記視聴履歴に基づいて、前記表示装置を使用するユーザの傾向を解析する解析部と、を備えた情報処理装置と、を含むことを特徴とする情報処理システムである。
【００１８】
（１３）また、本発明の一態様は、コンテンツを表示する表示部と、前記表示部が表示するコンテンツをユーザが視聴した視聴時刻を送信する送信部と、前記視聴時刻の履歴に基づいて選択された第２のコンテンツを受信する受信部と、を備え、前記表示部は、前記受信部が受信した前記第２のコンテンツを表示することを特徴とする表示装置である。
【００１９】
（１４）また、本発明の一態様は、表示装置であって、前記表示部は、前記受信部が前記第２のコンテンツを受信してから所定の時間が経過した後、前記第２のコンテンツの表示を消去することを特徴とする。
【発明の効果】
【００２０】
本発明の情報処理装置、情報処理方法、プログラム、情報処理システムおよび表示装置によれば、表示装置を使用するユーザの傾向を解析することができる。
【図面の簡単な説明】
【００２１】
【図１】第１の実施形態に係る情報処理システムの一例を示す図である。
【図２】第１の実施形態に係る表示装置の機能構成の一例を示したブロック図である。
【図３】第１の実施形態に係る視聴情報サーバ装置の機能構成の一例を示したブロック図である。
【図４】第１の実施形態に係る情報処理装置の機能構成の一例を示したブロック図である。
【図５】第１の実施形態に係る視聴履歴データベースの一例を示した概略図である。
【図６】第１の実施形態に係る解析パターンデータベースの一例を示した概略図である。
【図７】第１の実施形態に係るユーザ情報データベースの一例を示した概略図である。
【図８】第１の実施形態に係る配信パターンデータベースの一例を示した概略図である。
【図９】第１の実施形態に係る情報処理装置の動作手順を示したフローチャートである。
【図１０】第２の実施形態に係る情報処理システムの一例を示す図である。
【図１１】第２の実施形態に係る情報処理装置の機能構成の一例を示したブロック図である。
【図１２】第２の実施形態に係る番組情報データベースの一例を示した概略図である。
【図１３】第２の実施形態に係る視聴履歴データベースの一例を示した概略図である。
【図１４】第２の実施形態に係る解析パターンデータベースの一例を示した概略図である。
【図１５】第２の実施形態に係る情報処理装置の動作手順を示したフローチャートである。
【図１６】第３の実施形態に係る視聴履歴データベースの一例を示した概略図である。
【図１７】第３の実施形態に係る解析パターンデータベースの一例を示した概略図である。
【図１８】第３の実施形態に係る情報処理装置の動作手順を示したフローチャートである。
【図１９】第４の実施形態に係る配信パターンデータベースの一例を示した概略図である。
【図２０】第５の実施形態に係る配信パターンデータベースの一例を示した概略図である。
【図２１】第６の実施形態に係る配信パターンデータベースの一例を示した概略図である。
【発明を実施するための形態】
【００２２】
（第１の実施形態）
以下、本発明の第１の実施形態について説明する。図１は、本発明の第１の実施形態に係る情報処理システムＳ１の一例を示す概略図である。図示する例では、情報処理システムＳ１は、情報処理装置１と、表示装置２と、視聴情報サーバ装置３と、コンテンツ配信サーバ４とを含む。
【００２３】
情報処理装置１と、視聴情報サーバ装置３と、コンテンツ配信サーバ４とは、例えば、公知のサーバ機能を備えるサーバ装置である。表示装置２は、例えば、テレビや、パーソナルコンピュータや、携帯電話や、タブレットや、スマートフォンや、ＰＤＡ（Ｐｅｒｓｏｎａｌ  Ｄｉｇｉｔａｌ  Ａｓｓｉｓｔａｎｔ）など、表示部２２を備える装置である。情報処理装置１と、表示装置２と、視聴情報サーバ装置３と、コンテンツ配信サーバ４とは、それぞれネットワークＮＷに無線または有線により接続され、互いに通信を行うことができる。
【００２４】
ネットワークＮＷは、例えば、携帯電話網や、ＰＨＳ（Ｐｅｒｓｏｎａｌ  Ｈａｎｄｙ−ｐｈｏｎｅ  Ｓｙｓｔｅｍ）網や、ＶＰＮ（Ｖｉｒｔｕａｌ  Ｐｒｉｖａｔｅ  Ｎｅｔｗｏｒｋ）網や、専用通信回線網や、ＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）や、ＰＳＴＮ（Ｐｕｂｌｉｃ  Ｓｗｉｔｃｈｅｄ  Ｔｅｌｅｐｈｏｎｅ  Ｎｅｔｗｏｒｋ；公衆交換電話網）などによって構成される情報通信ネットワークであり、また、これらの組み合わせであってもよい。
【００２５】
情報処理装置１は、ユーザが表示装置２で放送番組（コンテンツ）を視聴した時刻の履歴である視聴履歴に基づいて、表示装置２を使用するユーザの傾向を解析する。また、情報処理装置１は、解析したユーザの傾向に基づいて、表示装置２に対して配信する広告（第２のコンテンツ）を選択する。
【００２６】
表示装置２は、テレビジョン放送を受信し、テレビジョン放送の放送番組を表示部２２に表示する。また、表示装置２は、コンテンツ配信サーバ４から配信される広告を受信し、受信した広告を表示部２２に表示する。また、表示装置２は、ユーザが放送番組を視聴した時刻を特定する視聴時刻特定情報を視聴情報サーバ装置３に対して送信する。なお、表示装置２は視聴時刻特定情報を送信する際には、自装置を特定することができる装置特定情報を関連付けて送信する。例えば、装置特定情報として、表示装置２の通信部に割り当てられているＭＡＣアドレス（Ｍｅｄｉａ  Ａｃｃｅｓｓ  Ｃｏｎｔｒｏｌ  ａｄｄｒｅｓｓ）を用いる。
【００２７】
なお、以下では、表示装置２が放送番組を表示することを、表示装置２の利用者が当該放送番組を視聴することと読み替える。また、表示装置２を利用し、放送番組を視聴する者を視聴者と称する。
【００２８】
視聴情報サーバ装置３は、表示装置２の視聴履歴を格納する視聴履歴データベースを保持する。視聴履歴データベースの詳細は後述する。視聴情報サーバ装置３は、表示装置２から送信される視聴時刻特定情報と、装置特定情報とを関連付けて、視聴履歴データベースに格納する。また、視聴情報サーバ装置３は、視聴履歴データベースに格納している視聴時刻特定情報と、装置特定情報とを情報処理装置１に対して送信する。コンテンツ配信サーバ４は、情報処理装置１の指示に基づいて、情報処理装置１が選択した広告を表示装置２に対して配信する。
【００２９】
次に、表示装置２の構成について説明する。図２は、表示装置２の機能構成の一例を示したブロック図である。図示する例では、表示装置２は、操作入力部２１と、表示部２２と、映像受信部２３と、通信部２４（送信部、受信部、表示装置送信部）と、操作処理部２５１と、コンテンツ受信部２５２と、表示制御部２５３とを備える。また、表示装置２は、公知のテレビジョン受信機の機能を有する。
【００３０】
また、表示装置２は、ＣＰＵ（Ｃｅｎｔｒａｌ  Ｐｒｏｃｅｓｓｉｎｇ  Ｕｎｉｔ）や記憶装置を備える。記憶装置は、例えば、ＨＤＤ（Ｈａｒｄ  Ｄｉｓｃ  Ｄｒｉｖｅ）や、フラッシュメモリや、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒy）や、ＲＯＭ（Ｒｅａｄ  Ｏｎｌｙ  Ｍｅｍｏｒｙ）や、ＲＡＭ（Ｒａｎｄｏｍ  Ａｃｃｅｓｓ  Ｍｅｍｏｒｙ）などを備え、ファームウェアやアプリケーションプログラムなど、ＣＰＵが実行するための各種プログラムやＣＰＵが実行した処理の結果などを記憶する。例えば、ＣＰＵは、記憶装置に記憶されているプログラムを実行することによって、操作処理部２５１と、コンテンツ受信部２５２と、表示制御部２５３として動作する。
【００３１】
操作入力部２１は、視聴者から、表示装置２に対する操作入力を受け付ける。操作入力部２１は、例えば、テレビのリモコンなどの入力装置を介して、操作入力を受け付ける。表示部２２は、例えば、液晶ディスプレイや有機ＥＬ（Ｅｌｅｃｔｒｏ−Ｌｕｍｉｎｅｓｃｅｎｃｅ）ディスプレイなどの表示装置を備える。表示部２２は、映像受信部２３が受信した放送番組や、コンテンツ受信部２５２がコンテンツ配信サーバ４から受信した広告などを表示する。
【００３２】
映像受信部２３は、テレビチューナーを備え、テレビジョン放送された放送番組を受信する。通信部２４は、通信インターフェースを備え、情報処理装置１や、視聴情報サーバ装置３や、コンテンツ配信サーバ４など、他の装置と通信を行う。
【００３３】
操作処理部２５１は、操作入力部２１が受け付けた入力を解析し、入力に応じた処理を実行する。例えば、操作処理部２５１は、操作入力部２１がチャンネルの切り替え操作の入力を受け付けた場合、切り替え後のチャンネルの情報を表示制御部２５３に対して出力する。また、例えば、操作入力部２１が電源を入れる操作の入力を受け付けた場合、操作処理部２５１は、通信部２４を介して、電源を入れる操作の入力を受け付けた時刻（視聴時刻特定情報）と、表示装置２を一意に特定する装置特定情報とを視聴情報サーバ装置３に対して送信する。また、例えば、操作入力部２１が電源を切断する操作の入力を受け付けた場合、操作処理部２５１は、通信部２４を介して、電源を切断する操作の入力を受け付けた時刻（視聴時刻特定情報）と、表示装置２を一意に特定する装置特定情報とを視聴情報サーバ装置３に対して送信する。
【００３４】
表示制御部２５３は、映像受信部２３が受信した放送番組や、コンテンツ受信部２５２が受信した広告などを表示部２２に表示させる。例えば、表示制御部２５３は、操作処理部２５１から切り替え後のチャンネルの情報が入力された場合、表示部２２に表示させる放送番組を、切り替え後のチャンネルの情報に基づいて切り替える。また、例えば、表示制御部２５３は、コンテンツ受信部２５２が広告を受信した場合、表示部２２に広告を表示させる。また、例えば、表示制御部２５３は、表示部２２に広告を表示させてから一定時間経過した後、広告の表示を消去させてもよい。なお、一定時間は予め定められていてもよく、任意に設定できてもよい。
【００３５】
次に、視聴情報サーバ装置３の構成について説明する。図３は、視聴情報サーバ装置３の機能構成の一例を示したブロック図である。図示する例では、視聴情報サーバ装置３は、通信部４１（サーバ受信部、サーバ送信部）と、履歴データ受信制御部４２と、記憶部４３と、履歴データ送信制御部４４とを備える。
【００３６】
また、視聴情報サーバ装置３は、ＣＰＵや記憶装置を備える。記憶装置は、例えば、ＨＤＤや、フラッシュメモリや、ＥＥＰＲＯＭや、ＲＯＭや、ＲＡＭなどを備え、ファームウェアやアプリケーションプログラムなど、ＣＰＵが実行するための各種プログラムやＣＰＵが実行した処理の結果などを記憶する。例えば、ＣＰＵは、記憶装置に記憶されているプログラムを実行することによって、履歴データ受信制御部４２と、履歴データ送信制御部４４として動作する。
【００３７】
通信部４１は、通信インターフェースを備え、情報処理装置１や、表示装置２や、コンテンツ配信サーバ４など、他の装置と通信を行う。履歴データ受信制御部４２は、表示装置２から送信される視聴時刻特定情報と、装置特定情報とを通信部４１を介して受信する。また、履歴データ受信制御部４２は、受信した視聴時刻特定情報と、装置特定情報とを関連付けて記憶部４３が記憶する視聴履歴データベースに格納する。なお、視聴履歴データベースに格納されている視聴時刻特定情報と、装置特定情報とを視聴履歴データとする。
【００３８】
記憶部４３は、例えばＨＤＤを備え、視聴履歴データベースを記憶する。履歴データ送信制御部４４は、通信部４１を介して、記憶部４３の視聴履歴データベースが格納している視聴履歴データを情報処理装置１に対して送信する。
【００３９】
次に、情報処理装置１の構成について説明する。図４は、情報処理装置１の機能構成の一例を示したブロック図である。図示する例では、情報処理装置１は、記憶部１１と、通信部１２と、視聴情報取得部１３と、解析部１４と、選択部１５とを備える。
【００４０】
また、情報処理装置１は、ＣＰＵや記憶装置を備える。記憶装置は、例えば、ＨＤＤや、フラッシュメモリや、ＥＥＰＲＯＭや、ＲＯＭや、ＲＡＭなどを備え、ファームウェアやアプリケーションプログラムなど、ＣＰＵが実行するための各種プログラムやＣＰＵが実行した処理の結果などを記憶する。例えば、ＣＰＵは、記憶装置に記憶されているプログラムを実行することによって、視聴情報取得部１３と、解析部１４と、選択部１５として動作する。
【００４１】
記憶部１１は、例えば、ＨＤＤや、フラッシュメモリや、ＥＥＰＲＯＭや、ＲＯＭや、ＲＡＭなどを備え、情報処理装置１が備える各部が用いるデータを記憶する。また、記憶部１１は、解析パターンデータベースと、ユーザ情報データベースと、配信パターンデータベースとを記憶する。各データベースの詳細については後述する。
【００４２】
通信部１２は、通信インターフェースを備え、表示装置２や、視聴情報サーバ装置３や、コンテンツ配信サーバ４など、他の装置と通信を行う。視聴情報取得部１３は、通信部１２を介して、視聴情報サーバ装置３から視聴履歴データを取得する。
【００４３】
解析部１４は、視聴情報取得部１３が取得した解析対象のユーザの視聴履歴データと、解析パターンデータベースが記憶する解析パターンとに基づいて、解析対象のユーザのユーザ層を解析する。また、解析部１４は、解析対象のユーザのユーザ層の解析結果をユーザ情報データベースに格納する。なお、ユーザ層の解析方法については後述する。
【００４４】
選択部１５は、ユーザ情報データベースに格納されているユーザのユーザ層と、配信パターンデータベースに格納されている配信パターンとに基づいて、ユーザに対して配信する広告を選択する。なお、配信する広告の選択方法については後述する。また、選択部１５は、通信部１２を介して、選択した種類の広告を配信させる配信指示を、コンテンツ配信サーバ４に対して送信する。
【００４５】
次に、視聴情報サーバ装置３の記憶部４３が記憶している視聴履歴データベースについて説明する。図５は、視聴履歴データベースの一例を示した概略図である。視聴履歴データベースは、「視聴時刻特定情報」と、「装置特定情報」とのデータ項目を有しており、各データ項目のデータを行毎に対応付けて格納している。
【００４６】
データ項目「視聴時刻特定情報」は、放送番組の視聴を開始した時刻と終了した時刻とを格納する。データ項目「装置特定情報」は、表示装置２のＭＡＣアドレスを格納する。
【００４７】
図示する例では、行１０１のデータ項目「視聴時刻特定情報」に記憶されている値が「２０１２／１０／１６  １：５９−２０１２／１０／１６  ２：３３」であり、データ項目「装置特定情報」に記憶されている値が「ｘｘ：ｘｘ：ｘｘ：ｘｘ：ｘｘ：ｘｘ」である。これは、ＭＡＣアドレス「ｘｘ：ｘｘ：ｘｘ：ｘｘ：ｘｘ：ｘｘ」で特定される表示装置２を使用するユーザは、「２０１２／１０／２６  １：５９」から「２０１２／１０／１６  ２：３３」まで放送番組を視聴したことを示している。なお、その他の行については図示するとおりである。
【００４８】
次に、情報処理装置１の記憶部１１が記憶する解析パターンデータベースについて説明する。図６は、解析パターンデータベースの一例を示した概略図である。解析パターンデータベースは、「視聴時間帯」と、「ユーザ層」とのデータ項目を有しており、各データ項目のデータを行毎に対応付けて格納している。データ項目「視聴時間帯」は、放送番組を視聴した時間帯を格納する。データ項目「ユーザ層」は、表示装置２を使用している確率が高いユーザ層を格納する。
【００４９】
図示する例では、行２０１のデータ項目「視聴時間帯」に記憶されている値が「５：００〜９：００」であり、データ項目「ユーザ層」に記憶されている値が「単身男性、主婦」である。これは、「５：００〜９：００」の間に放送番組を視聴しているユーザ層は、「単身男性、主婦」の確率が高いことを示している。なお、その他の行については図示するとおりである。
【００５０】
次に、情報処理装置１の記憶部１１が記憶するユーザ情報データベースについて説明する。図７は、ユーザ情報データベースの一例を示した概略図である。ユーザ情報データベースは、「装置特定情報」と、「ユーザ層」とのデータ項目を有しており、各データ項目のデータを行毎に対応付けて格納している。データ項目「装置特定情報」は、表示装置２のＭＡＣアドレスを格納する。データ項目「ユーザ層」は、表示装置２を使用しているユーザのユーザ層を解析した結果を格納する。
【００５１】
図示する例では、行３０１のデータ項目「装置特定情報」に記憶されている値が「ｘｘ：ｘｘ：ｘｘ：ｘｘ：ｘｘ：ｘｘ」であり、データ項目「ユーザ層」に記憶されている値が「単身男性」である。これは、ＭＡＣアドレス「ｘｘ：ｘｘ：ｘｘ：ｘｘ：ｘｘ：ｘｘ」で特定される表示装置２を使用するユーザのユーザ層は「単身男性」であると解析したことを示している。なお、その他の行については図示するとおりである。
【００５２】
次に、情報処理装置１の記憶部１１が記憶する配信パターンデータベースについて説明する。図８は、配信パターンデータベースの一例を示した概略図である。配信パターンデータベースは、「ユーザ層」と、「広告種類」とのデータ項目を有しており、各データ項目のデータを行毎に対応付けて格納している。データ項目「ユーザ層」は、広告を配信する表示装置２を使用しているユーザのユーザ層を格納する。データ項目「広告種類」は、配信する広告の種類を格納する。
【００５３】
図示する例では、行４０１のデータ項目「ユーザ層」に記憶されている値が「単身男性」であり、データ項目「広告種類」に記憶されている値が「ＡＡＡ」である。これは、使用するユーザのユーザ層が「単身男性」であると解析された表示装置２に対して、「ＡＡＡ」の広告を配信することを示している。なお、その他の行については図示するとおりである。
【００５４】
次に、情報処理装置１が、表示装置２を使用するユーザ層を解析する方法について説明する。ユーザ層によって、表示装置２を使用する時間帯に特徴がある。例えば、朝の時間帯（４：００〜１０：００）に表示装置２を使用するユーザ層は、単身男性や主婦の可能性が高い。また、例えば、昼の時間帯（１０：００〜１８：００）に表示装置２を使用するユーザ層は、主婦や子供の可能性が高い。また、例えば、夜の時間帯（１８：００〜２４：００）に表示装置２を使用するユーザ層は、単身男性や子供の可能性が高い。
【００５５】
そこで、本実施形態では、情報処理装置１の記憶部１１に、上記の特徴など、ユーザ層の解析に最適な特徴を格納した解析パターンデータベースを記憶させる。また、情報処理装置１の視聴情報取得部１３は、ユーザが表示装置２で放送番組を視聴した時刻の履歴である視聴履歴を視聴情報サーバ装置３から取得する。また、情報処理装置１の解析部１４は、視聴情報取得部１３が取得した視聴履歴と解析パターンデータベースが格納する上記の特徴とに基づいて、表示装置２を使用するユーザ層を解析する。例えば、７：００〜９：００と、２１：００〜２３：００の視聴履歴が多い場合、解析部１４は、表示装置２を使用するユーザのユーザ層は単身男性であると解析する。このように、情報処理装置１は、ユーザが表示装置２でコンテンツを視聴した時刻の履歴である視聴履歴に基づいて、表示装置２を使用するユーザのユーザ層の傾向を解析することができる。また、解析部１４は、解析した結果をユーザ情報データベースに格納する。
【００５６】
次に、情報処理装置１が、表示装置２に配信する広告を選択する方法について説明する。本実施形態では、情報処理装置１の記憶部１１に、表示装置２を使用しているユーザ層と、配信する広告の種類とを対応付けて格納した配信パターンデータベースを記憶させる。また、情報処理装置１の選択部１５は、解析部１４がユーザ情報データベースに格納した結果と、配信パターンデータベースが格納する情報とに基づいて、表示装置２に対して配信する広告の種類を選択する。例えば、記憶部１１が図８に示した配信パターンデータベースを記憶している場合、選択部１５は、ユーザ層が「単身男性」であると解析された表示装置２に対して配信する広告の種類として、「ＡＡＡ」を選択する。このように、情報処理装置１は、表示装置２を使用しているユーザ層に応じた広告を選択することができる。また、選択部１５は、選択した種類の広告を、コンテンツ配信サーバ４に配信させる。
【００５７】
次に、情報処理装置１の動作手順について説明する。図９は、情報処理装置１の動作手順を示したフローチャートである。
（ステップＳ１０１）視聴情報取得部１３は、通信部２４を介して、視聴情報サーバ装置３から視聴履歴データを取得する。その後、ステップＳ１０２の処理に進む。
【００５８】
（ステップＳ１０２）解析部１４は、ステップＳ１０１の処理で取得した視聴履歴データと、記憶部１１が記憶する解析パターンデータベースとに基づいて、表示装置２を使用するユーザのユーザ層を解析する。ユーザ層の解析方法は上述したとおりである。その後、ステップＳ１０３の処理に進む。
【００５９】
（ステップＳ１０３）解析部１４は、解析した結果を記憶部１１が記憶するユーザ情報データベースに格納する。その後、ステップＳ１０４の処理に進む。
（ステップＳ１０４）選択部１５は、ステップＳ１０４の処理でユーザ情報データベースに格納された解析結果と、記憶部１１が記憶する配信パターンデータベースとに基づいて、表示装置２に配信する広告を選択する。広告の選択方法は上述したとおりである。その後、ステップＳ１０５の処理に進む。
【００６０】
（ステップＳ１０５）選択部１５は、選択した種類の広告を配信させる配信指示を、コンテンツ配信サーバ４に対して送信する。その後、処理を終了する。なお、コンテンツ配信サーバ４は、配信指示を受信した場合、受信した配信指示に基づいて、情報処理装置１が選択した広告を表示装置２に対して配信する。
【００６１】
上述したとおり、本実施形態によれば、情報処理装置１は、ユーザが表示装置２でコンテンツを視聴した時刻の履歴である視聴履歴に基づいて、表示装置２を使用するユーザ層の傾向を解析する。これにより、ユーザが放送番組をいつ視聴したかに基づいて、表示装置を使用するユーザ層の傾向を解析することができる。また、情報処理装置１は、解析したユーザ層の傾向に基づいて、配信する広告を選択することができる。
【００６２】
なお、上述した例では、視聴される時間帯に基づいて、表示装置２を使用するユーザ層の傾向を解析しているが、これに限らない。例えば、視聴される曜日に基づいて、表示装置２を使用するユーザ層の傾向を解析してもよく、視聴される曜日と時間との組み合わせに基づいて、表示装置２を使用するユーザのユーザ層の傾向を解析してもよい。例えば、月曜日から金曜日の朝の時間帯と夜の時間帯のみ視聴され、土日、休日は昼の時間帯も視聴される場合、表示装置２を使用するユーザのユーザ層は、単身または共働きのサラリーマンの可能性が高い。また、曜日の区別なく、昼間も視聴される場合、表示装置２を使用するユーザのユーザ層は、主婦やシルバー世代など、非労働者の可能性が高い。また、火曜日から日曜日は朝の時間帯と夜の時間帯のみ視聴され、月曜日はいつも昼の時間帯に視聴される場合、表示装置２を使用するユーザのユーザ層は月曜日が休日のユーザ層である可能性が高い。
【００６３】
また、上述した例では、ユーザが表示装置２で放送番組を視聴した時刻の履歴である視聴履歴に基づいて、表示装置２を使用するユーザ層の傾向を解析しているが、これに限らない。例えば、放送番組を視聴した時刻の履歴の代わりに、放送番組を録画した録画番組を視聴した時刻の履歴を視聴履歴として用いてもよい。また、例えば、放送番組を視聴した時刻の代わりに、放送番組を録画した時刻の履歴を視聴履歴として用いてもよい。
【００６４】
（第２の実施形態）
次に、本発明の第２の実施形態について説明する。本実施形態と第１の実施形態とで異なる点は、本実施形態の情報処理装置は、ユーザが放送番組を視聴した時刻の履歴である視聴履歴だけではなく、ユーザが視聴した放送番組の内容も参照して表示装置２を使用するユーザのユーザ層を解析する点である。
【００６５】
図１０は、本発明の第２の実施形態に係る情報処理システムＳ２の一例を示す概略図である。図示する例では、情報処理システムＳ２は、情報処理装置５と、表示装置２と、視聴情報サーバ装置３と、コンテンツ配信サーバ４と、番組情報提供装置６とを含む。表示装置２と、視聴情報サーバ装置３と、コンテンツ配信サーバ４との構成は、第１の実施形態における各装置の構成と同様である。
【００６６】
情報処理装置５と、番組情報提供装置６とは、例えば、公知のサーバ機能を備えるサーバ装置である。情報処理装置５と、表示装置２と、視聴情報サーバ装置３と、コンテンツ配信サーバ４と、番組情報提供装置６とは、それぞれネットワークＮＷに無線または有線により接続され、互いに通信を行うことができる。
【００６７】
情報処理装置５は、表示装置２でユーザが視聴したテレビジョン放送の放送番組の内容と、表示装置２でユーザが放送番組を視聴した時刻の履歴である視聴履歴とに基づいて、表示装置２を使用するユーザの傾向を解析する。また、情報処理装置５は、解析したユーザの傾向に基づいて、表示装置２に対して配信する広告を選択する。
【００６８】
表示装置２は、テレビジョン放送を受信し、テレビジョン放送の放送番組を表示部２２に表示する。また、表示装置２は、コンテンツ配信サーバ４から配信される広告を受信し、受信した広告を表示部２２に表示する。また、表示装置２は、ユーザが視聴した放送番組を特定する視聴番組特定情報と、ユーザが放送番組を視聴した時刻を特定する視聴時刻特定情報とを視聴情報サーバ装置３に対して送信する。なお、表示装置２は、視聴番組特定情報と視聴時刻特定情報とを送信する際には、自装置を特定することができる装置特定情報を関連付けて送信する。
【００６９】
視聴情報サーバ装置３は、表示装置２から送信される視聴番組特定情報と、視聴時刻特定情報と、装置特定情報とを関連付けて、視聴履歴データベースに格納する。また、視聴情報サーバ装置３は、視聴履歴データベースに格納している視聴番組特定情報と、視聴時刻特定情報と、装置特定情報とを情報処理装置１に対して送信する。コンテンツ配信サーバ４は、情報処理装置１の指示に基づいて、情報処理装置１が選択した広告を表示装置２に対して配信する。
【００７０】
番組情報提供装置６は、番組情報データベースを記憶する。番組情報データベースは、放送番組の各種情報を格納するデータベースである。番組情報データベースの詳細については後述する。番組情報提供装置６は、情報処理装置１に対して、番組情報データベースに格納されているデータを送信する。
【００７１】
次に、表示装置２の構成について説明する。本実施形態における表示装置２の構成は、第１の実施形態における表示装置２の構成と同様である。本実施形態の表示装置２と第１の実施形態の表示装置２とで異なる点は、操作入力部２１がチャンネルの切り替え操作の入力を受け付けた場合、操作処理部２５１は、通信部２４を介して、切り替え後のチャンネルの情報（視聴番組特定情報）と、表示装置２を一意に特定する装置特定情報とを視聴情報サーバ装置３に対して送信する点である。
【００７２】
次に、視聴情報サーバ装置３の構成について説明する。本実施形態における視聴情報サーバ装置３の構成は、第１の実施形態における視聴情報サーバ装置３の構成と同様である。本実施形態の視聴情報サーバ装置３と第１の実施形態の視聴情報サーバ装置３とで異なる点は、視聴番組特定情報を用いる点である。具体的には、履歴データ受信制御部４２は、表示装置２から送信される視聴番組特定情報と、視聴時刻特定情報と、装置特定情報とを通信部４１を介して受信する。また、履歴データ受信制御部４２は、受信した視聴番組特定情報と、視聴時刻特定情報と、装置特定情報とを関連付けて記憶部４３が記憶する視聴履歴データベースに格納する。また、視聴履歴データベースのデータ項目に、「視聴番組特定情報」が追加されている。視聴履歴データベースの詳細については後述する。
【００７３】
次に、情報処理装置５の構成について説明する。図１１は、情報処理装置５の機能構成の一例を示したブロック図である。図示する例では、情報処理装置５は、記憶部１１と、通信部１２と、視聴情報取得部１３と、解析部１４と、選択部１５と、番組情報取得部１６とを備える。
【００７４】
また、情報処理装置５は、ＣＰＵや記憶装置を備える。記憶装置は、例えば、ＨＤＤや、フラッシュメモリや、ＥＥＰＲＯＭや、ＲＯＭや、ＲＡＭなどを備え、ファームウェアやアプリケーションプログラムなど、ＣＰＵが実行するための各種プログラムやＣＰＵが実行した処理の結果などを記憶する。例えば、ＣＰＵは、記憶装置に記憶されているプログラムを実行することによって、視聴情報取得部１３と、解析部１４と、選択部１５と、番組情報取得部１６として動作する。
【００７５】
記憶部１１と、通信部１２と、視聴情報取得部１３と、選択部１５とは、第１の実施形態における各部と同様である。番組情報取得部１６は、通信部１２を介して、番組情報提供装置６から番組情報を取得する。
【００７６】
解析部１４は、視聴情報取得部１３が取得した解析対象のユーザの視聴履歴データと、番組情報取得部１６が取得した番組情報と、解析パターンデータベースが記憶する解析パターンとに基づいて、解析対象のユーザのユーザ層を解析する。また、解析部１４は、解析対象のユーザのユーザ層の解析結果をユーザ情報データベースに格納する。なお、ユーザ層の解析方法については後述する。
【００７７】
次に、番組情報提供装置６が記憶している番組情報データベースについて説明する。図１２は、番組情報データベースの一例を示した概略図である。番組情報データベースは、「識別ＩＤ」と、「イベント開始時刻」と、「イベント終了時刻」と、「放送番組名」と、「イベント包含コーナー」と、「イベント内容情報」と、「放送局ＩＤ」とのデータ項目を有しており、各データ項目のデータを行毎に対応付けて格納している。イベントとは、例えば、出演者が発言したり、映像が流れたりといった一つ一つの出来事を示す。
【００７８】
データ項目「識別ＩＤ」は、番組情報を識別するための識別ＩＤを格納する。データ項目「イベント開始時刻」は、イベントが起こった時刻を格納する。データ項目「イベント終了時刻」は、イベントが終わった時刻を格納する。データ項目「放送番組名」は、放送番組の名称を格納する。データ項目「イベント包含コーナー」は、イベントが起こった時のコーナー名を格納する。データ項目「イベント内容情報」は、イベントの内容を格納する。イベントの内容としては、例えば、イベント時に映っていた出演者の発言内容、出演者名、出演者の動き、出演者の表情等をテキスト情報で記録したものである。データ項目「放送局ＩＤ」は、イベントが起こった放送番組を放映している放送局を識別する放送局ＩＤを格納する。
【００７９】
図示する例では、行５０１のデータ項目「識別ＩＤ」に格納されている値は「３４３４３６６」であり、データ項目「イベント開始時刻」に格納されている値は「２０１２／１０／１６  １：５６」であり、データ項目「イベント終了時刻」に格納されている値は「２０１２／１０／１６  １：５８」であり、データ項目「放送番組名」に格納されている値は「ｙｙｙの奇跡ＳＰ」であり、データ項目「イベント包含コーナー」に格納されている値は「ｙｙｙの奇跡ＳＰ」であり、データ項目「イベント内容情報」に格納されている値は「ｙｙｙが作ったのは・・・」であり、データ項目「放送局ＩＤ」に格納されている値は「１０２４」である。
【００８０】
これは、識別ＩＤ「３４３４３６６」で特定されるイベントは、「２０１２／１０／１６  １：５６」に開始され、「２０１２／１０／１６  １：５８」に終了し、放送番組名は「ｙｙｙの奇跡ＳＰ」であり、コーナー名は「ｙｙｙの奇跡ＳＰ」であり、イベントの内容は「ｙｙｙが作ったのは・・・」であり、放送局ＩＤ「１０２４」で特定される放送局が放送したことを示している。他の行については図示するとおりである。
【００８１】
なお、図１２では、番組情報データベースの一部分のみを描いたが、実際には番組情報データベースは、全国又は地域で放映された放送番組に対応した番組情報を全て格納していてよい。
【００８２】
次に、視聴情報サーバ装置３の記憶部４３が記憶している視聴履歴データベースについて説明する。図１３は、視聴履歴データベースの一例を示した概略図である。視聴履歴データベースは、「視聴番組特定情報」と、「視聴時刻特定情報」と、「装置特定情報」とのデータ項目を有しており、各データ項目のデータを行毎に対応付けて格納している。
【００８３】
データ項目「視聴番組特定情報」は、視聴した放送番組を放映している放送局を識別する放送局ＩＤを格納する。データ項目「視聴時刻特定情報」は、放送番組の視聴を開始した時刻と終了した時刻とを格納する。データ項目「装置特定情報」は、表示装置２のＭＡＣアドレスを格納する。
【００８４】
図示する例では、行６０１のデータ項目「視聴番組特定情報」に記憶されている値が「１０２４」であり、データ項目「視聴時刻特定情報」に記憶されている値が「２０１２／１０／１６  １：５９−２０１２／１０／１６  ２：３３」であり、データ項目「装置特定情報」に記憶されている値が「ｘｘ：ｘｘ：ｘｘ：ｘｘ：ｘｘ：ｘｘ」である。これは、ＭＡＣアドレス「ｘｘ：ｘｘ：ｘｘ：ｘｘ：ｘｘ：ｘｘ」で特定される表示装置２を使用するユーザは、「２０１２／１０／２６  １：５９」から「２０１２／１０／１６  ２：３３」まで、放送局ＩＤ「１０２４」で特定される放送局が放映した放送番組を視聴したことを示している。なお、その他の行については図示するとおりである。
【００８５】
次に、情報処理装置５の記憶部１１が記憶する解析パターンデータベースについて説明する。図１４は、解析パターンデータベースの一例を示した概略図である。解析パターンデータベースは、「視聴時間帯」と、「番組内容」と、「ユーザ層」とのデータ項目を有しており、各データ項目のデータを行毎に対応付けて格納している。データ項目「視聴時間帯」は、放送番組を視聴した時間帯を格納する。データ項目「番組内容」は、視聴した放送番組のイベント内容を格納する。データ項目「ユーザ層」は、表示装置２を使用している確率が高いユーザ層を格納する。
【００８６】
図示する例では、行７０１のデータ項目「視聴時間帯」に記憶されている値が「５：００〜９：００」であり、データ項目「番組内容」に記憶されている値が「ニュース」であり、データ項目「ユーザ層」に記憶されている値が「単身男性」である。これは、「５：００〜９：００」の間に、ニュースについてのイベントが発生した放送番組を視聴しているユーザ層は、「単身男性」の確率が高いことを示している。なお、その他の行については図示するとおりである。
【００８７】
次に、情報処理装置５の記憶部１１が記憶するユーザ情報データベースについて説明する。本実施形態におけるユーザ情報データベースは、第１の実施形態におけるユーザ情報データベースと同様である。
【００８８】
次に、情報処理装置５の記憶部１１が記憶する配信パターンデータベースについて説明する。本実施形態における配信パターンデータベースは、第１の実施形態における配信パターンデータベースと同様である。
【００８９】
次に、情報処理装置５が、表示装置２を使用するユーザ層を解析する方法について説明する。ユーザ層によって、表示装置２を使用する時間帯および視聴する放送番組の内容に特徴がある。例えば、朝の時間帯（４：００〜１０：００）に、ニュースについてのイベントが発生した放送番組を視聴するユーザ層は、単身男性の可能性が高い。また、例えば、朝の時間帯（４：００〜１０：００）に、ワイドショーについてのイベントが発生した放送番組を視聴するユーザ層は、主婦の可能性が高い。また、例えば、夜の時間帯（１８：００〜２４：００）に表示装置２を使用するユーザ層は、単身男性や子供の可能性が高い。このように、表示装置２を使用する時間帯が同じであっても、視聴する放送番組の内容が異なると、表示装置２を使用するユーザのユーザ層も異なる。
【００９０】
そこで、本実施形態では、情報処理装置５の記憶部１１に、上記の特徴を格納した解析パターンデータベースを記憶させる。また、情報処理装置５の視聴情報取得部１３は、視聴番組特定情報を含んだ視聴履歴を視聴情報サーバ装置３から取得する。また、情報処理装置５の番組情報取得部１６は、番組情報を番組情報提供装置６から取得する。また、情報処理装置５の解析部１４は、視聴情報取得部１３が取得した視聴履歴と、番組情報取得部１６が取得した番組情報と、解析パターンデータベースが格納する上記の特徴とに基づいて、表示装置２を使用するユーザ層を解析する。
【００９１】
例えば、７：００〜９：００に、ニュースについてのイベントが発生した放送番組の視聴履歴が多い場合、解析部１４は、表示装置２を使用するユーザのユーザ層は単身男性であると解析する。このように、情報処理装置５は、ユーザが表示装置２で視聴した放送番組の内容と、放送番組を視聴した時刻の履歴である視聴履歴に基づいて、表示装置２を使用するユーザのユーザ層の傾向を解析することができる。また、解析部１４は、解析した結果をユーザ情報データベースに格納する。
【００９２】
次に、情報処理装置５が、表示装置２に配信する広告を選択する方法について説明する。本実施形態における情報処理装置５が、表示装置２に配信する広告を選択する方法は、第１の実施形態における選択方法と同様である。
【００９３】
次に、情報処理装置５の動作手順について説明する。図１５は、情報処理装置５の動作手順を示したフローチャートである。
（ステップＳ２０１）視聴情報取得部１３は、通信部２４を介して、視聴情報サーバ装置３から視聴履歴データを取得する。その後、ステップＳ２０２の処理に進む。
（ステップＳ２０２）番組情報取得部１６は、通信部２４を介して、番組情報提供装置６から番組情報を取得する。その後、ステップＳ２０３の処理に進む。
【００９４】
（ステップＳ２０３）解析部１４は、ステップＳ２０１の処理で取得した視聴履歴データと、ステップＳ２０２の処理で取得した番組情報と、記憶部１１が記憶する解析パターンデータベースとに基づいて、表示装置２を使用するユーザのユーザ層を解析する。ユーザ層の解析方法は上述したとおりである。その後、ステップＳ３０３の処理に進む。
【００９５】
ステップＳ２０４〜ステップＳ２０６の処理は、第１の実施形態におけるステップＳ１０３〜ステップＳ１０５の処理と同様である。
【００９６】
上述したとおり、本実施形態によれば、情報処理装置５は、ユーザが表示装置２で視聴したコンテンツの内容と、コンテンツを視聴した時刻の履歴である視聴履歴に基づいて、表示装置２を使用するユーザ層の傾向を解析する。これにより、ユーザが視聴した放送番組の内容と、ユーザが放送番組を視聴した時刻の履歴とに基づいて、表示装置を使用するユーザ層の傾向を解析することができる。また、情報処理装置５は、解析したユーザ層の傾向に基づいて、配信する広告を選択することができる。
【００９７】
なお、上述した例では、放送番組の内容として、放送番組のジャンルを用いて説明したが、これに限らない。例えば、放送番組の内容として、番組の出演者を用いてもよい。また、上述した例では、視聴される放送番組の内容に基づいて、表示装置２を使用するユーザ層の傾向を解析しているが、これに限らない。例えば、視聴される放送番組の内容と、視聴される時間帯との組み合わせに基づいて、表示装置２を使用するユーザのユーザ層の傾向を解析してもよい。例えば、子供向けの番組を子供が視聴する時間帯に視聴されている場合、表示装置２を使用するユーザのユーザ層は、就学前や小学生の子供がいる世帯である可能性が高い。また、経済ニュース番組など、サラリーマンが好んでみるジャンルの放送番組を大人が視聴する時間帯に視聴されている場合、表示装置２を使用するユーザのユーザ層は、サラリーマンがいる世帯である可能性が高い。
【００９８】
また、放送番組の制作時に想定された視聴層情報をもとに、どの視聴層の番組をみているかを集計して、表示装置２を使用するユーザのユーザ層を解析してもよい。例えば、３０代女性向けの放送番組の視聴頻度と、幼児向けの放送番組の視聴頻度とが多い場合、表示装置２を使用するユーザのユーザ層は、主婦と子供がいる世帯である可能性が高い。
【００９９】
（第３の実施形態）
次に、本発明の第３の実施形態について説明する。本実施形態と第１の実施形態とで異なる点は、本実施形態の情報処理装置は、ユーザが放送番組を視聴した時刻の履歴である視聴履歴だけではなく、表示装置２の種類も参照して表示装置２を使用するユーザのユーザ層を解析する点である。
【０１００】
本実施形態の情報処理システムＳ１の構成は、第１の実施形態における情報処理システムＳ１の構成と同様である。
【０１０１】
情報処理装置１は、ユーザが表示装置２で放送番組（コンテンツ）を視聴した時刻の履歴である視聴履歴と、表示装置２の種類とに基づいて、表示装置２を使用するユーザの傾向を解析する。また、情報処理装置１は、解析したユーザの傾向に基づいて、表示装置２に対して配信する広告（第２のコンテンツ）を選択する。表示装置２の種類としては、据え置き型のテレビや、スマートフォンや、タブレット端末などである。
【０１０２】
表示装置２は、テレビジョン放送を受信し、テレビジョン放送の放送番組を表示部２２に表示する。また、表示装置２は、コンテンツ配信サーバ４から配信される広告を受信し、受信した広告を表示部２２に表示する。また、表示装置２は、ユーザが放送番組を視聴した時刻を特定する視聴時刻特定情報を視聴情報サーバ装置３に対して送信する。なお、表示装置２は視聴時刻特定情報を送信する際には、自装置を特定することができる装置特定情報と自装置の種類を示す種類特定情報とを関連付けて送信する。
【０１０３】
視聴情報サーバ装置３は、視聴履歴データベースを記憶する。視聴履歴データベースは、表示装置２の視聴履歴を格納するデータベースである。視聴履歴データベースの詳細は後述する。視聴情報サーバ装置３は、表示装置２から送信される視聴時刻特定情報と、装置特定情報と、種類特定情報とを関連付けて、視聴履歴データベースに格納する。また、視聴情報サーバ装置３は、視聴履歴データベースに格納している視聴時刻特定情報と、装置特定情報と、種類特定情報とを情報処理装置１に対して送信する。コンテンツ配信サーバ４は、情報処理装置１の指示に基づいて、情報処理装置１が選択した広告を表示装置２に対して配信する。
【０１０４】
情報処理装置１と、表示装置２の構成と、視聴情報サーバ装置３の構成は、第１の実施形態における各装置の構成と同様である。
【０１０５】
次に、視聴情報サーバ装置３の記憶部４３が記憶している視聴履歴データベースについて説明する。図１６は、視聴履歴データベースの一例を示した概略図である。視聴履歴データベースは、「視聴時刻特定情報」と、「装置特定情報」と、「種類特定情報」とのデータ項目を有しており、各データ項目のデータを行毎に対応付けて格納している。
【０１０６】
データ項目「視聴時刻特定情報」は、放送番組の視聴を開始した時刻と終了した時刻とを格納する。データ項目「装置特定情報」は、表示装置２のＭＡＣアドレスを格納する。データ項目「種類特定情報」は、表示装置２の種類を示す情報を格納する。
【０１０７】
図示する例では、行８０１のデータ項目「視聴時刻特定情報」に記憶されている値が「２０１２／１０／１６  １：５９−２０１２／１０／１６  ２：３３」であり、データ項目「装置特定情報」に記憶されている値が「ｘｘ：ｘｘ：ｘｘ：ｘｘ：ｘｘ：ｘｘ」であり、データ項目「種類特定情報」に格納されている値が「タブレット端末」である。これは、ＭＡＣアドレス「ｘｘ：ｘｘ：ｘｘ：ｘｘ：ｘｘ：ｘｘ」で特定される表示装置２の種類は「タブレット端末」であり、表示装置２を使用するユーザは、「２０１２／１０／２６  １：５９」から「２０１２／１０／１６  ２：３３」まで放送番組を視聴したことを示している。なお、その他の行については図示するとおりである。
【０１０８】
次に、情報処理装置１の記憶部１１が記憶する解析パターンデータベースについて説明する。図１７は、解析パターンデータベースの一例を示した概略図である。解析パターンデータベースは、「視聴時間帯」と、「種類特定情報」と、「ユーザ層」とのデータ項目を有しており、各データ項目のデータを行毎に対応付けて格納している。データ項目「視聴時間帯」は、放送番組を視聴した時間帯を格納する。データ項目「種類特定情報」は、表示装置２の種類を示す情報を格納する。データ項目「ユーザ層」は、表示装置２を使用している確率が高いユーザ層を格納する。
【０１０９】
図示する例では、行９０１のデータ項目「視聴時間帯」に記憶されている値が「５：００〜９：００」であり、データ項目「種類特定情報」に記憶されている値が「タブレット端末」であり、データ項目「ユーザ層」に記憶されている値が「単身男性」である。これは、「５：００〜９：００」の間に、「タブレット端末」である表示装置２で放送番組を視聴しているユーザ層は、「単身男性」の確率が高いことを示している。なお、その他の行については図示するとおりである。
【０１１０】
次に、情報処理装置１の記憶部１１が記憶する配信パターンデータベースについて説明する。本実施形態における配信パターンデータベースは、第１の実施形態における配信パターンデータベースと同様である。
【０１１１】
次に、情報処理装置１が、表示装置２を使用するユーザ層を解析する方法について説明する。ユーザ層によって、表示装置２を使用する時間帯および使用する表示装置２の種類に特徴がある。例えば、朝の時間帯（４：００〜１０：００）に、タブレット端末である表示装置２で放送番組を視聴しているユーザ層は、単身男性の可能性が高い。また、例えば、朝の時間帯（４：００〜１０：００）に、据え置き型のテレビである表示装置２で放送番組を視聴しているユーザ層は、主婦の可能性が高い。このように、表示装置２を使用する時間帯が同じであっても、使用する表示装置２の種類が異なると、表示装置２を使用するユーザのユーザ層も異なる。
【０１１２】
そこで、本実施形態では、情報処理装置１の記憶部１１に、上記の特徴を格納した解析パターンデータベースを記憶させる。また、情報処理装置１の視聴情報取得部１３は、種類特定情報を含んだ視聴履歴を視聴情報サーバ装置３から取得する。また、情報処理装置１の解析部１４は、視聴情報取得部１３が取得した視聴履歴と、解析パターンデータベースが格納する上記の特徴とに基づいて、表示装置２を使用するユーザ層を解析する。
【０１１３】
例えば、７：００〜９：００に、タブレット端末である表示装置２で放送番組を視聴した視聴履歴が多い場合、解析部１４は、表示装置２を使用するユーザのユーザ層は単身男性であると解析する。このように、情報処理装置１は、ユーザが使用する表示装置２の種類と、放送番組を視聴した時刻の履歴である視聴履歴に基づいて、表示装置２を使用するユーザのユーザ層の傾向を解析することができる。また、解析部１４は、解析した結果をユーザ情報データベースに格納する。
【０１１４】
次に、情報処理装置１が、表示装置２に配信する広告を選択する方法について説明する。本実施形態における情報処理装置１が、表示装置２に配信する広告を選択する方法は、第１の実施形態における選択方法と同様である。
【０１１５】
次に、情報処理装置１の動作手順について説明する。図１８は、情報処理装置１の動作手順を示したフローチャートである。
（ステップＳ３０１）視聴情報取得部１３は、通信部２４を介して、視聴情報サーバ装置３から、種類特定情報を含んだ視聴履歴データを取得する。その後、ステップＳ３０２の処理に進む。
【０１１６】
（ステップＳ３０２）解析部１４は、ステップＳ３０１の処理で取得した視聴履歴データと、記憶部１１が記憶する解析パターンデータベースとに基づいて、表示装置２を使用するユーザのユーザ層を解析する。ユーザ層の解析方法は上述したとおりである。その後、ステップＳ３０３の処理に進む。
【０１１７】
ステップＳ３０３〜ステップＳ３０５の処理は、第１の実施形態におけるステップＳ１０３〜ステップＳ１０５の処理と同様である。
【０１１８】
上述したとおり、本実施形態によれば、情報処理装置１は、ユーザが放送番組を視聴した表示装置２の種類と、コンテンツを視聴した時刻の履歴である視聴履歴に基づいて、表示装置２を使用するユーザ層の傾向を解析する。これにより、ユーザが放送番組を視聴した表示装置２の種類と、ユーザが放送番組を視聴した時刻の履歴とに基づいて、表示装置を使用するユーザ層の傾向を解析することができる。また、情報処理装置１は、解析したユーザ層の傾向に基づいて、配信する広告を選択することができる。
【０１１９】
（第４の実施形態）
次に、本発明の第４の実施形態について説明する。本実施形態と第１の実施形態とで異なる点は、表示装置２に配信する広告を選択する方法である。本実施形態では、解析したユーザのユーザ層と、ユーザが表示装置２で放送番組を視聴している時刻とに応じて、配信する広告を選択する。なお、その他の処理については、第１の実施形態と同様であるので説明を省略する。また、各装置の構成は、第１の実施形態における各装置の構成と同様である。
【０１２０】
次に、情報処理装置１が、表示装置２に配信する広告を選択する方法について説明する。情報処理装置１の記憶部１１に、表示装置２を使用しているユーザ層と、表示装置２で放送番組を視聴している時間帯と、配信する広告の種類とを対応付けて格納した配信パターンデータベースを記憶させる。また、情報処理装置１の選択部１５は、解析部１４がユーザ情報データベースに格納した結果と、配信パターンデータベースが格納する情報とに基づいて、表示装置２に対して配信する広告の種類を選択する。
【０１２１】
図１９は、配信パターンデータベースの一例を示した概略図である。配信パターンデータベースは、「ユーザ層」と、「視聴時間帯」と、「広告種類」とのデータ項目を有しており、各データ項目のデータを行毎に対応付けて格納している。データ項目「ユーザ層」は、広告を配信する表示装置２を使用しているユーザのユーザ層を格納する。データ項目「視聴時間帯」は、表示装置２で放送番組を視聴している時間帯を格納する。データ項目「広告種類」は、配信する広告の種類を格納する。
【０１２２】
図示する例では、行１００１のデータ項目「ユーザ層」に記憶されている値が「単身男性」であり、データ項目「視聴時間帯」に格納されている値が「８：００〜１０：００」であり、データ項目「広告種類」に記憶されている値が「ＡＡＡ」である。これは、使用するユーザのユーザ層が「単身男性」であると解析された表示装置２で、ユーザが「８：００〜１０：００」に放送番組を視聴している場合には、「ＡＡＡ」の広告を配信することを示している。なお、その他の行については図示するとおりである。
【０１２３】
例えば、記憶部１１が図１９に示した配信パターンデータベースを記憶している場合、選択部１５は、ユーザ層が「単身男性」であると解析された表示装置２で、ユーザが「８：００〜１０：００」に放送番組を視聴している場合には、配信する広告の種類として、「ＡＡＡ」を選択する。このように、情報処理装置１は、表示装置２で放送番組を視聴している時間帯と、表示装置２を使用しているユーザ層とに応じた広告を選択することができる。また、選択部１５は、選択した種類の広告を、コンテンツ配信サーバ４に配信させる。
【０１２４】
上述した構成および動作により、情報処理装置１は、表示装置２を使用しているユーザ層と、ユーザが視聴している時間帯とに基づいて、配信する広告を絞り込むことができる。
【０１２５】
（第５の実施形態）
次に、本発明の第５の実施形態について説明する。本実施形態と第２の実施形態とで異なる点は、表示装置２に配信する広告を選択する方法である。本実施形態では、解析したユーザのユーザ層と、ユーザが表示装置２で視聴している放送番組の内容とに応じて、配信する広告を選択する。なお、その他の処理については、第２の実施形態と同様であるので説明を省略する。また、各装置の構成は、第２の実施形態における各装置の構成と同様である。
【０１２６】
次に、情報処理装置５が、表示装置２に配信する広告を選択する方法について説明する。情報処理装置５の記憶部１１に、表示装置２を使用しているユーザ層と、表示装置２で視聴している放送番組の内容と、配信する広告の種類とを対応付けて格納した配信パターンデータベースを記憶させる。また、情報処理装置５の選択部１５は、解析部１４がユーザ情報データベースに格納した結果と、配信パターンデータベースが格納する情報とに基づいて、表示装置２に対して配信する広告の種類を選択する。
【０１２７】
図２０は、配信パターンデータベースの一例を示した概略図である。配信パターンデータベースは、「ユーザ層」と、「番組内容」と、「広告種類」とのデータ項目を有しており、各データ項目のデータを行毎に対応付けて格納している。データ項目「ユーザ層」は、広告を配信する表示装置２を使用しているユーザのユーザ層を格納する。データ項目「番組内容」は、表示装置２で視聴している放送番組の内容を格納する。データ項目「広告種類」は、配信する広告の種類を格納する。
【０１２８】
図示する例では、行１０１１のデータ項目「ユーザ層」に記憶されている値が「単身男性」であり、データ項目「番組内容」に格納されている値が「ニュース」であり、データ項目「広告種類」に記憶されている値が「ＡＡＡ」である。これは、使用するユーザのユーザ層が「単身男性」であると解析された表示装置２で、ユーザが「ニュース」についてのイベントが発生した放送番組を視聴している場合には、「ＡＡＡ」の広告を配信することを示している。なお、その他の行については図示するとおりである。
【０１２９】
例えば、記憶部１１が図２０に示した配信パターンデータベースを記憶している場合、選択部１５は、ユーザ層が「単身男性」であると解析された表示装置２で、ユーザが「ニュース」についてのイベントが発生した放送番組を視聴している場合には、配信する広告の種類として、「ＡＡＡ」を選択する。このように、情報処理装置５は、表示装置２で視聴している放送番組の内容と、表示装置２を使用しているユーザ層とに応じた広告を選択することができる。また、選択部１５は、選択した種類の広告を、コンテンツ配信サーバ４に配信させる。
【０１３０】
上述した構成および動作により、情報処理装置１は、表示装置２を使用しているユーザ層と、ユーザが視聴している放送番組の内容とに基づいて、配信する広告を絞り込むことができる。
【０１３１】
（第６の実施形態）
次に、本発明の第６の実施形態について説明する。本実施形態と第２の実施形態とで異なる点は、表示装置２に配信する広告を選択する方法である。本実施形態では、解析したユーザのユーザ層と、ユーザが表示装置２で放送番組を視聴している時刻と、ユーザが表示装置２で視聴している放送番組の内容とに応じて、配信する広告を選択する。なお、その他の処理については、第２の実施形態と同様であるので説明を省略する。また、各装置の構成は、第２の実施形態における各装置の構成と同様である。
【０１３２】
次に、情報処理装置５が、表示装置２に配信する広告を選択する方法について説明する。情報処理装置５の記憶部１１に、表示装置２を使用しているユーザ層と、ユーザが表示装置２で放送番組を視聴している時刻と、表示装置２で視聴している放送番組の内容と、配信する広告の種類とを対応付けて格納した配信パターンデータベースを記憶させる。また、情報処理装置５の選択部１５は、解析部１４がユーザ情報データベースに格納した結果と、配信パターンデータベースが格納する情報とに基づいて、表示装置２に対して配信する広告の種類を選択する。
【０１３３】
図２１は、配信パターンデータベースの一例を示した概略図である。配信パターンデータベースは、「ユーザ層」と、「視聴時間帯」と、「番組内容」と、「広告種類」とのデータ項目を有しており、各データ項目のデータを行毎に対応付けて格納している。データ項目「ユーザ層」は、広告を配信する表示装置２を使用しているユーザのユーザ層を格納する。データ項目「視聴時間帯」は、表示装置２で放送番組を視聴している時間帯を格納する。データ項目「番組内容」は、表示装置２で視聴している放送番組の内容を格納する。データ項目「広告種類」は、配信する広告の種類を格納する。
【０１３４】
図示する例では、行１０２１のデータ項目「ユーザ層」に記憶されている値が「単身男性」であり、データ項目「視聴時間帯」に格納されている値が「８：００〜１０：００」であり、データ項目「番組内容」に格納されている値が「ニュース」であり、データ項目「広告種類」に記憶されている値が「ＡＡＡ」である。これは、使用するユーザのユーザ層が「単身男性」であると解析された表示装置２で、ユーザが「８：００〜１０：００」に放送番組を視聴しており、ユーザが「ニュース」についてのイベントが発生した放送番組を視聴している場合には、「ＡＡＡ」の広告を配信することを示している。なお、その他の行については図示するとおりである。
【０１３５】
例えば、記憶部１１が図２１に示した配信パターンデータベースを記憶している場合、選択部１５は、ユーザ層が「単身男性」であると解析された表示装置２で、ユーザが「８：００〜１０：００」に放送番組を視聴しており、ユーザが「ニュース」についてのイベントが発生した放送番組を視聴している場合には、配信する広告の種類として、「ＡＡＡ」を選択する。このように、情報処理装置５は、表示装置２で放送番組を視聴している時間帯と、表示装置２で視聴している放送番組の内容と、表示装置２を使用しているユーザ層とに応じた広告を選択することができる。また、選択部１５は、選択した種類の広告を、コンテンツ配信サーバ４に配信させる。
【０１３６】
上述した構成および動作により、情報処理装置１は、表示装置２を使用しているユーザ層と、ユーザが視聴している時間帯と、ユーザが視聴している放送番組の内容とに基づいて、配信する広告を絞り込むことができる。
【０１３７】
なお、上述した実施形態における情報処理装置１，５と、表示装置と、視聴情報サーバ装置と、コンテンツ配信サーバ４と、番組情報提供装置６とが備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【０１３８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１３９】
以上、本発明の第１の実施形態〜第６の実施形態について説明したが、本発明は、上記実施形態に限定されるものではなく、本発明の趣旨を逸脱しない範囲において種々の変更を加えることが可能である。
【０１４０】
例えば、上述した例では、表示装置２が表示するコンテンツの例として、放送番組の例を用いて説明したが、これに限らず、どのようなコンテンツでもよい。また、上述した例では、コンテンツ配信サーバ５が配信するコンテンツ（第２のコンテンツ）の例として、広告の例を用いて説明したが、これに限らず、どのようなコンテンツでもよい。
【符号の説明】
【０１４１】
１，５・・・情報処理装置、２・・・表示装置、３・・・視聴情報サーバ装置、４・・・コンテンツ配信サーバ、６・・・番組情報提供装置、１１，４３・・・記憶部、１２，２４，４１・・・通信部、１３・・・視聴情報取得部、１４・・・解析部、１５・・・選択部、１６・・・番組情報取得部、２１・・・操作入力部、２２・・・表示部、２３・・・映像受信部、４２・・・履歴データ受信制御部、４４・・・履歴データ送信制御部、２５１・・・操作処理部、２５２・・・コンテンツ受信部、２５３・・・表示制御部
【図１】
2015144376.tif 000003
【図２】
2015144376.tif 000004
【図３】
2015144376.tif 000005
【図４】
2015144376.tif 000006
【図５】
2015144376.tif 000007
【図６】
2015144376.tif 000008
【図７】
2015144376.tif 000009
【図８】
2015144376.tif 000010
【図９】
2015144376.tif 000011
【図１０】
2015144376.tif 000012
【図１１】
2015144376.tif 000013
【図１２】
2015144376.tif 000014
【図１３】
2015144376.tif 000015
【図１４】
2015144376.tif 000016
【図１５】
2015144376.tif 000017
【図１６】
2015144376.tif 000018
【図１７】
2015144376.tif 000019
【図１８】
2015144376.tif 000020
【図１９】
2015144376.tif 000021
【図２０】
2015144376.tif 000022
【図２１】
2015144376.tif 000023
【手続補正書】
【提出日】平成26年11月11日(2014.11.11)
【手続補正１】
【補正対象書類名】特許請求の範囲
【補正対象項目名】全文
【補正方法】変更
【補正の内容】
【特許請求の範囲】
【請求項１】
ユーザが表示装置でコンテンツを視聴した時刻の履歴である視聴履歴に基づいて、当該表示装置を使用するユーザの傾向を解析する解析部
を備えることを特徴とする情報処理装置。
【請求項２】
前記解析部はさらに、前記コンテンツの内容に基づいて、前記表示装置を使用するユーザの傾向を解析する
ことを特徴とする請求項１に記載の情報処理装置。
【請求項３】
前記解析部はさらに、前記表示装置の種類に基づいて、前記表示装置を使用するユーザの傾向を解析する
ことを特徴とする請求項１または請求項２に記載の情報処理装置。
【請求項４】
前記解析部が解析した前記表示装置を使用するユーザの傾向に基づいて、前記表示装置に対して配信する第２のコンテンツを選択する選択部
を備えることを特徴とする請求項１から請求項３のいずれか１項に記載の情報処理装置。
【請求項５】
前記選択部は、前記ユーザが前記コンテンツを視聴している時刻に基づいて、前記第２のコンテンツを選択する
ことを特徴とする請求項４に記載の情報処理装置。
【請求項６】
前記選択部は、前記表示装置が表示している前記コンテンツの内容に基づいて、前記第２のコンテンツを選択する
ことを特徴とする請求項４または請求項５に記載の情報処理装置。
【請求項７】
前記選択部は、選択した前記第２のコンテンツを、コンテンツ配信サーバから前記表示装置に対して配信させる
ことを特徴とする請求項４から請求項６のいずれか１項に記載の情報処理装置。
【請求項８】
前記コンテンツは、テレビジョン放映された放送番組である
ことを特徴とする請求項１から請求項７のいずれか１項に記載の情報処理装置。
【請求項９】
前記コンテンツは、テレビジョン放映された放送番組を録画した録画コンテンツである
ことを特徴とする請求項１から請求項８のいずれか１項に記載の情報処理装置。
【請求項１０】
前記解析部はさらに、前記録画コンテンツの録画時刻に基づいて、前記表示装置を使用するユーザの傾向を解析する
ことを特徴とする請求項９に記載の情報処理装置。
【請求項１１】
ユーザが表示装置でコンテンツを視聴した時刻の履歴である視聴履歴に基づいて、当該表示装置を使用するユーザの傾向を解析する解析ステップ
を含むことを特徴とする情報処理方法。
【請求項１２】
前記解析ステップで解析した、前記表示装置を使用するユーザの傾向に基づいて、前記表示装置に対して配信する第２のコンテンツを選択する選択ステップと、
前記選択ステップで選択した前記第２のコンテンツを、コンテンツ配信サーバから前記表示装置に対して配信させる配信ステップと、
を含むことを特徴とする請求項１１に記載の情報処理方法。
【請求項１３】
ユーザが表示装置でコンテンツを視聴した時刻の履歴である視聴履歴に基づいて、当該表示装置を使用するユーザの傾向を解析する解析ステップ
をコンピュータに実行させるためのプログラム。
【請求項１４】
前記解析ステップで解析した、前記表示装置を使用するユーザの傾向に基づいて、前記表示装置に対して配信する第２のコンテンツを選択する選択ステップと、
前記選択ステップで選択した前記第２のコンテンツを、コンテンツ配信サーバから前記表示装置に対して配信させる配信ステップと、
をコンピュータに実行させるための請求項１３に記載のプログラム。
【請求項１５】
コンテンツを表示する表示部と、
前記表示部が表示するコンテンツをユーザが視聴した視聴時刻を送信する表示装置送信部と、
を備えた表示装置と、
前記表示装置送信部が送信した前記視聴時刻を受信するサーバ受信部と、
前記サーバ受信部が受信した前記視聴時刻の履歴を視聴履歴として記憶する記憶部と、
前記記憶部が記憶する前記視聴履歴を送信するサーバ送信部と、
を備えた視聴情報サーバ装置と、
前記視聴情報サーバ装置が送信した前記視聴履歴を受信する受信部と、
前記受信部が受信した前記視聴履歴に基づいて、前記表示装置を使用するユーザの傾向を解析する解析部と、
を備えた情報処理装置と、
を含むことを特徴とする情報処理システム。
【請求項１６】
第２のコンテンツを配信するコンテンツ配信サーバ
を含み、
前記情報処理装置は、
前記解析部が解析した前記表示装置を使用するユーザの傾向に基づいて、前記表示装置に対して配信する第２のコンテンツを選択し、選択した前記第２のコンテンツを、前記コンテンツ配信サーバから前記表示装置に対して配信させる選択部を備える
ことを特徴とする請求項１５に記載の情報処理システム。
【請求項１７】
コンテンツを表示する表示部と、
前記表示部が表示するコンテンツをユーザが視聴した視聴時刻を送信する送信部と、
前記視聴時刻の履歴に基づいて選択された第２のコンテンツを受信する受信部と、
を備え、
前記表示部は、前記受信部が受信した前記第２のコンテンツを表示する
ことを特徴とする表示装置。
【請求項１８】
前記表示部は、前記受信部が前記第２のコンテンツを受信してから所定の時間が経過した後、前記第２のコンテンツの表示を消去する
ことを特徴とする請求項１７に記載の表示装置。
【手続補正２】
【補正対象書類名】明細書
【補正対象項目名】００１２
【補正方法】変更
【補正の内容】
【００１２】
（７）また、本発明の一態様は、情報処理装置であって、前記選択部は、選択した前記第２のコンテンツを、コンテンツ配信サーバから前記表示装置に対して配信させることを特徴とする。
（８）また、本発明の一態様は、情報処理装置であって、前記コンテンツは、テレビジョン放映された放送番組であることを特徴とする。
【手続補正３】
【補正対象書類名】明細書
【補正対象項目名】００１３
【補正方法】変更
【補正の内容】
【００１３】
（９）また、本発明の一態様は、情報処理装置であって、前記コンテンツは、テレビジョン放映された放送番組を録画した録画コンテンツであることを特徴とする。
【手続補正４】
【補正対象書類名】明細書
【補正対象項目名】００１４
【補正方法】変更
【補正の内容】
【００１４】
（１０）また、本発明の一態様は、情報処理装置であって、前記解析部はさらに、前記録画コンテンツの録画時刻に基づいて、前記表示装置を使用するユーザの傾向を解析することを特徴とする。
【手続補正５】
【補正対象書類名】明細書
【補正対象項目名】００１５
【補正方法】変更
【補正の内容】
【００１５】
（１１）また、本発明の一態様は、ユーザが表示装置でコンテンツを視聴した時刻の履歴である視聴履歴に基づいて、当該表示装置を使用するユーザの傾向を解析する解析ステップを含むことを特徴とする情報処理方法である。
（１２）また、本発明の一態様は、情報処理方法であって、前記解析ステップで解析した、前記表示装置を使用するユーザの傾向に基づいて、前記表示装置に対して配信する第２のコンテンツを選択する選択ステップと、前記選択ステップで選択した前記第２のコンテンツを、コンテンツ配信サーバから前記表示装置に対して配信させる配信ステップと、を含むことを特徴とする。
【手続補正６】
【補正対象書類名】明細書
【補正対象項目名】００１６
【補正方法】変更
【補正の内容】
【００１６】
（１３）また、本発明の一態様は、ユーザが表示装置でコンテンツを視聴した時刻の履歴である視聴履歴に基づいて、当該表示装置を使用するユーザの傾向を解析する解析ステップをコンピュータに実行させるためのプログラムである。
（１４）また、本発明の一態様は、プログラムであって、前記解析ステップで解析した、前記表示装置を使用するユーザの傾向に基づいて、前記表示装置に対して配信する第２のコンテンツを選択する選択ステップと、前記選択ステップで選択した前記第２のコンテンツを、コンテンツ配信サーバから前記表示装置に対して配信させる配信ステップと、をコンピュータに実行させる。
【手続補正７】
【補正対象書類名】明細書
【補正対象項目名】００１７
【補正方法】変更
【補正の内容】
【００１７】
（１５）また、本発明の一態様は、コンテンツを表示する表示部と、前記表示部が表示するコンテンツをユーザが視聴した視聴時刻を送信する表示装置送信部と、を備えた表示装置と、前記表示装置送信部が送信した前記視聴時刻を受信するサーバ受信部と、前記サーバ受信部が受信した前記視聴時刻の履歴を視聴履歴として記憶する記憶部と、前記記憶部が記憶する前記視聴履歴を送信するサーバ送信部と、を備えた視聴情報サーバ装置と、前記視聴情報サーバ装置が送信した前記視聴履歴を受信する受信部と、前記受信部が受信した前記視聴履歴に基づいて、前記表示装置を使用するユーザの傾向を解析する解析部と、を備えた情報処理装置と、を含むことを特徴とする情報処理システムである。
（１６）また、本発明の一態様は、情報処理システムであって、第２のコンテンツを配信するコンテンツ配信サーバを含み、前記情報処理装置は、前記解析部が解析した前記表示装置を使用するユーザの傾向に基づいて、前記表示装置に対して配信する第２のコンテンツを選択し、選択した前記第２のコンテンツを、前記コンテンツ配信サーバから前記表示装置に対して配信させる選択部を備えることを特徴とする。
【手続補正８】
【補正対象書類名】明細書
【補正対象項目名】００１８
【補正方法】変更
【補正の内容】
【００１８】
（１７）また、本発明の一態様は、コンテンツを表示する表示部と、前記表示部が表示するコンテンツをユーザが視聴した視聴時刻を送信する送信部と、前記視聴時刻の履歴に基づいて選択された第２のコンテンツを受信する受信部と、を備え、前記表示部は、前記受信部が受信した前記第２のコンテンツを表示することを特徴とする表示装置である。
【手続補正９】
【補正対象書類名】明細書
【補正対象項目名】００１９
【補正方法】変更
【補正の内容】
【００１９】
（１８）また、本発明の一態様は、表示装置であって、前記表示部は、前記受信部が前記第２のコンテンツを受信してから所定の時間が経過した後、前記第２のコンテンツの表示を消去することを特徴とする。